(57)【要約】  【課題】  光ディスクに記録されているデータの編集及び再生を行うことができる者を制限することができる光ディスク記録再生装置を提供する。  【解決手段】  ＤＶＤ９に記録されているデータの編集及び再生を行うＤＶＤレコーダ１であって、パスワードが入力される操作スイッチ３またはリモコン受光部２と、装填されたＤＶＤ９に記録されている管理情報を読み出し、読み出した管理情報にパスワードが含まれている場合には、その読み出した管理情報に含まれるパスワードと操作スイッチ３またはリモコン受光部２から入力されたパスワードとが同一であるかの照合を行うパスワード照合手段６ｂと、その照合結果が非同一である場合以外の場合に前記編集及び再生のための動作制御を行うＣＰＵ６とを備える。【選択図】      図１
2006134427.tif 000002
【特許請求の範囲】
【請求項１】
ＤＶＤ−ＶｉｄｅｏにフォーマットされたＤＶＤに対して、データを記録したり記録さ
れているデータを削除したりする編集と、記録されているデータの再生とを行う光ディス
ク記録再生装置であって、
ＤＶＤが装填されたことを検出するディスク検出手段と、
パスワードが入力されるパスワード入力手段と、
装填されたＤＶＤをＤＶＤ−Ｖｉｄｅｏにフォーマットする際に、前記パスワード入力
手段により入力されたパスワードを、その装填されたＤＶＤにＤＶＤ−Ｖｉｄｅｏに基づ
いて記録されるデータの管理情報に含めて記録することを選択可能に行うパスワード記録
手段と、
前記ディスク検出手段がＤＶＤの装填を検出したときに、装填されたＤＶＤに記録され
ているＤＶＤ−Ｖｉｄｅｏに基づいて記録されるデータの管理情報を読み出し、読み出し
た管理情報にパスワードが含まれている場合には、その読み出した管理情報に含まれるパ
スワードと前記パスワード入力手段により新たに入力されたパスワードとが同一であるか
の照合を行うパスワード照合手段と、
前記パスワード照合手段の照合結果が非同一である場合以外の場合に前記編集及び再生
のための動作制御を行う制御手段と、
を備えたことを特徴とする光ディスク記録再生装置。
【請求項２】
光ディスクに対して、データを記録したり記録されているデータを削除したりする編集
と、記録されているデータの再生とを行う光ディスク記録再生装置であって、
パスワードが入力されるパスワード入力手段と、
装填された光ディスクに記録されているその光ディスクに記録されるデータの管理情報
を読み出し、読み出した管理情報にパスワードが含まれている場合には、その読み出した
管理情報に含まれるパスワードと前記パスワード入力手段により入力されたパスワードと
が同一であるかの照合を行うパスワード照合手段と、
前記パスワード照合手段の照合結果が非同一である場合以外の場合に前記編集及び再生
のための動作制御を行う制御手段と、
を備えたことを特徴とする光ディスク記録再生装置。
【請求項３】
光ディスクが装填されたことを検出するディスク検出手段をさらに備え、前記パスワー
ド照合手段は、前記ディスク検出手段が光ディスクの装填を検出したときに、前記照合を
行うことを特徴とする請求項２に記載の光ディスク記録再生装置。
【請求項４】
装填された光ディスクをフォーマットする際に、前記パスワード入力手段により入力さ
れたパスワードを、その装填された光ディスクに記録されるデータの管理情報に含めて記
録するパスワード記録手段をさらに備えたことを特徴とする請求項２または請求項３に記
載の光ディスク記録再生装置。
【請求項５】
前記パスワード記録手段が、前記パスワードを装填された光ディスクに記録することを
選択可能としたことを特徴とする請求項４に記載の光ディスク記録再生装置。
【請求項６】
前記光ディスクは、ＤＶＤ−ＶｉｄｅｏにフォーマットされたＤＶＤであり、前記管理
情報は、そのＤＶＤにＤＶＤ−Ｖｉｄｅｏに基づいて記録されるデータの管理情報である
ことを特徴とする請求項２〜請求項５のいずれかに記載の光ディスク記録再生装置。
【発明の詳細な説明】
【技術分野】
【０００１】
本発明は、ＤＶＤ−Ｒ（DVD-Recordable）またはＤＶＤ−ＲＷ（DVD-ReWritable）等の
データの記録再生が可能な光ディスクに対して、データを記録したり記録されているデー
タを再生したりする光ディスク記録再生装置に関する。
【背景技術】
【０００２】
現在、大容量型光ディスクのひとつであるＤＶＤ（Digital Versatile Disc：デジタル
バーサタイルディスク）において、データの記録が可能なＤＶＤ−Ｒや、記録したデータ
の書換えが可能なＤＶＤ−ＲＷ及びＤＶＤ−ＲＡＭ（Random Access Memory）等が提供さ
れている。
【０００３】
ところで、ＤＶＤ−ＲまたはＤＶＤ−ＲＷ等に記録したデータは、記録した状態のまま
では、ＤＶＤ−Ｖｉｄｅｏフォーマットにのみ対応する再生装置及びＰＣ（パーソナルコ
ンピュータ）等ではフォーマットが不適合なために再生することができない。
【０００４】
そのため、ＤＶＤ−ＲまたはＤＶＤ−ＲＷ等（以下、ＤＶＤ−Ｒ／−ＲＷという）に記
録したデータを上記再生装置及びＰＣ等で再生するためには、ＤＶＤ−Ｒ／−ＲＷに記録
したデータをＤＶＤ−Ｖｉｄｅｏフォーマットに準拠した所定のフォーマットに変換する
変換処理を行う必要があり、この変換処理をファイナライズと呼んでいる。即ち、再生専
用のＤＶＤとの互換性を確保するためには、ファイナライズが必要である。そして、ファ
イナライズされたＤＶＤ−Ｒ／−ＲＷには、以後、記録されたデータの削除や新たなデー
タの追記などの編集が行えないようになっている。
【０００５】
また、記録された情報の秘匿性及びセキュリティを確保できるようにした記録装置が提
案されている（例えば、特許文献１、２参照）。
【０００６】
また、所定の情報再生装置で再生可能な共通情報を記録し、所定の情報再生装置の中の
特定の情報再生装置で再生可能な特定情報を記録し、共通情報と特定情報との関係を示す
リンク情報を記録する情報記録媒体の記録方法も提案されている（例えば、特許文献３参
照）。
【特許文献１】特開２００３−１３２６２４号公報
【特許文献２】特開２００４−３０７７９号公報
【特許文献３】特開２００３−１７８５６４号公報
【発明の開示】
【発明が解決しようとする課題】
【０００７】
しかしながら、ファイナライズされる前のＤＶＤ−Ｒ／−ＲＷであれば、記録されてい
るデータの削除や新たなデータの追記などの編集作業が、そのＤＶＤ−Ｒ／−ＲＷにデー
タを記録した光ディスク記録装置、または、その光ディスク記録装置と同じ製造元の光デ
ィスク記録装置等を用いて行えるため、ＤＶＤ−Ｒ／−ＲＷに所定のデータを記録しよう
としていた本来の作業者以外の他者が、前記本来の作業者が知らない間に、そのＤＶＤ−
Ｒ／−ＲＷに対して前記編集作業を勝手に行ってしまうというようなことがあった。その
ような場合、そのＤＶＤ−Ｒ／−ＲＷには、前記本来の作業者が意図していた前記所定の
データが記録されなくなったり、前記所定のデータ以外の不要なデータが記録されたりす
るという問題があった。
【０００８】
また、ファイナライズされる前のＤＶＤ−Ｒ／−ＲＷであっても、ＤＶＤ−Ｒ／−ＲＷ
にデータを記録でき、再生機能を有する光ディスク記録再生装置であれば、そのＤＶＤ−
Ｒ／−ＲＷに記録されているデータを再生することが可能なので、前記本来の作業者が、
記録したデータを現時点では（ファイナライズするまでは）他者に視聴させたくないと考
えていたとしても、他者は、前記本来の作業者の意図に反して、ＤＶＤ−Ｒ／−ＲＷに対
してデータ記録及び再生が可能な光ディスク記録再生装置を用いて、そのＤＶＤ−Ｒ／−
ＲＷに記録されているデータを再生して視聴することが可能であった。
【０００９】
また、特許文献１に記載の従来技術では、パスワードを入力しなければ、記録媒体に記
録されている映像音声データを再生することができないので、そのパスワードを知ってい
る者でしか記録媒体に記録されている映像音声データを再生して視聴することができない
ように視聴制限をかけることができる。しかしながら、記録媒体に対して、記録されてい
るデータの削除及び他のデータの追記というような編集作業を行うことができる者を制限
することについては記載されていない。
【００１０】
また、特許文献２に記載の従来技術では、パスワードを入力しなければ、光ディスクに
記録されパスワードが設定されているコンテンツを再生することができないので、光ディ
スクに記録されているデータのコンテンツ単位でのセキュリティ及び秘匿性を確保するこ
とができる。しかしながら、光ディスクに対して、記録されているデータの削除及び他の
データの追記というような編集作業を行うことができる者を制限することについては記載
されていない。
【００１１】
また、特許文献３に記載の従来技術では、同じ情報記録媒体に記録されている情報に基
づいて、製造元または販売元が異なる情報記録再生装置毎に、機能の差別化及び独自性を
出させることが可能なようにすることはできるが、情報記録媒体に記録されている情報を
再生することができる者を制限したり、情報記録媒体に対して、記録されている情報の削
除及び他の情報の追記というような編集作業を行うことができる者を制限したりするため
に適用できるものではない。
【００１２】
本発明は、上記の問題点を解決するためになされたもので、光ディスクに記録されてい
るデータを再生することができる者を制限することや、光ディスクに対して、記録されて
いるデータの削除及び他のデータの追記というような編集作業を行うことができる者を制
限することができる光ディスク記録再生装置を提供することを目的とする。
【課題を解決するための手段】
【００１３】
上記目的を達成するために、請求項１の発明は、ＤＶＤ−Ｖｉｄｅｏにフォーマットさ
れたＤＶＤに対して、データを記録したり記録されているデータを削除したりする編集と
、記録されているデータの再生とを行う光ディスク記録再生装置であって、ＤＶＤが装填
されたことを検出するディスク検出手段と、パスワードが入力されるパスワード入力手段
と、装填されたＤＶＤをＤＶＤ−Ｖｉｄｅｏにフォーマットする際に、前記パスワード入
力手段により入力されたパスワードを、その装填されたＤＶＤにＤＶＤ−Ｖｉｄｅｏに基
づいて記録されるデータの管理情報に含めて記録することを選択可能に行うパスワード記
録手段と、前記ディスク検出手段がＤＶＤの装填を検出したときに、装填されたＤＶＤに
記録されているＤＶＤ−Ｖｉｄｅｏに基づいて記録されるデータの管理情報を読み出し、
読み出した管理情報にパスワードが含まれている場合には、その読み出した管理情報に含
まれるパスワードと前記パスワード入力手段により新たに入力されたパスワードとが同一
であるかの照合を行うパスワード照合手段と、前記パスワード照合手段の照合結果が非同
一である場合以外の場合に前記編集及び再生のための動作制御を行う制御手段とを備えた
ことを特徴とする光ディスク記録再生装置を提供する。
【００１４】
この構成によれば、前記パスワード記録手段により、装填されたＤＶＤをＤＶＤ−Ｖｉ
ｄｅｏにフォーマットする際に、前記パスワード入力手段により入力されたパスワードを
、その装填されたＤＶＤにＤＶＤ−Ｖｉｄｅｏに基づいて記録されるデータの管理情報に
含めて記録することを選択可能に行うことができる。
【００１５】
また、ＤＶＤに記録されているデータの編集・再生を行うためにＤＶＤを装填したとき
には、前記ディスク検出手段がそのＤＶＤの装填を検出し、その検出信号を受けて前記パ
スワード照合手段が、装填されたＤＶＤに記録されているＤＶＤ−Ｖｉｄｅｏに基づいて
記録されるデータの管理情報を読み出し、読み出した管理情報にパスワードが含まれてい
る場合には、その読み出した管理情報に含まれるパスワードと前記パスワード入力手段に
より新たに入力されたパスワードとが同一であるかの照合を行う。そして、その照合結果
が非同一である場合には、前記制御手段による編集及び再生のための動作制御が行われな
くなる。
【００１６】
請求項２の発明は、光ディスクに対して、データを記録したり記録されているデータを
削除したりする編集と、記録されているデータの再生とを行う光ディスク記録再生装置で
あって、パスワードが入力されるパスワード入力手段と、装填された光ディスクに記録さ
れているその光ディスクに記録されるデータの管理情報を読み出し、読み出した管理情報
にパスワードが含まれている場合には、その読み出した管理情報に含まれるパスワードと
前記パスワード入力手段により入力されたパスワードとが同一であるかの照合を行うパス
ワード照合手段と、前記パスワード照合手段の照合結果が非同一である場合以外の場合に
前記編集及び再生のための動作制御を行う制御手段とを備えたことを特徴とする光ディス
ク記録再生装置を提供する。
【００１７】
この構成によれば、前記パスワード照合手段が、装填された光ディスクに記録されてい
るその光ディスクに記録されるデータの管理情報を読み出し、読み出した管理情報にパス
ワードが含まれている場合には、その読み出した管理情報に含まれるパスワードと前記パ
スワード入力手段により入力されたパスワードとが同一であるかの照合を行う。そして、
その照合結果が非同一である場合には、前記制御手段による編集及び再生のための動作制
御が行われなくなる。
【００１８】
請求項３の発明では、請求項２の発明において、光ディスクが装填されたことを検出す
るディスク検出手段をさらに備え、前記パスワード照合手段は、前記ディスク検出手段が
光ディスクの装填を検出したときに、前記照合を行うことを特徴としている。
【００１９】
この構成によれば、光ディスクに記録されているデータの編集・再生を行うために光デ
ィスクを装填したときに、ディスク検出手段がその光ディスクの装填を検出し、その検出
信号を受けて前記パスワード照合手段が前記照合を行うことになる。
【００２０】
請求項４の発明では、請求項２または請求項３の発明において、装填された光ディスク
をフォーマットする際に、前記パスワード入力手段により入力されたパスワードを、その
装填された光ディスクに記録されるデータの管理情報に含めて記録するパスワード記録手
段をさらに備えたことを特徴としている。
【００２１】
この構成によれば、光ディスクに対して、データを記録したり記録されているデータを
削除したりする編集と、前記光ディスクに記録されているデータの再生とを制限するため
のパスワードを、前記光ディスクに記録されるデータの管理情報に含めて記録することが
できる。
【００２２】
請求項５の発明では、請求項４の発明において、前記パスワード記録手段が、前記パス
ワードを装填された光ディスクに記録することを選択可能としたことを特徴としている。
【００２３】
これによれば、前記パスワードが記録された光ディスクと記録されていない光ディスク
とを選択可能に作成することができる。
【００２４】
請求項６の発明では、請求項２〜請求項５のいずれかの発明において、前記光ディスク
は、ＤＶＤ−ＶｉｄｅｏにフォーマットされたＤＶＤであり、前記管理情報は、そのＤＶ
ＤにＤＶＤ−Ｖｉｄｅｏに基づいて記録されるデータの管理情報であることを特徴として
いる。
【００２５】
これによれば、ＤＶＤ−ＶｉｄｅｏにフォーマットされたＤＶＤに対して、データを記
録したり記録されているデータを削除したりする編集と、記録されているデータの再生と
を行うことができ、さらに、前記パスワード記録手段により、装填されたＤＶＤをＤＶＤ
−Ｖｉｄｅｏにフォーマットする際に、前記パスワード入力手段により入力されたパスワ
ードを、その装填されたＤＶＤにＤＶＤ−Ｖｉｄｅｏに基づいて記録されるデータの管理
情報に含めて記録することを選択可能に行うことができる。
【００２６】
また、ＤＶＤに記録されているデータの編集・再生を行うためにＤＶＤを装填したとき
には、前記ディスク検出手段がそのＤＶＤの装填を検出し、その検出信号を受けて前記パ
スワード照合手段が、装填されたＤＶＤに記録されているＤＶＤ−Ｖｉｄｅｏに基づいて
記録されるデータの管理情報を読み出し、読み出した管理情報にパスワードが含まれてい
る場合には、その読み出した管理情報に含まれるパスワードと前記パスワード入力手段に
より新たに入力されたパスワードとが同一であるかの照合を行う。そして、その照合結果
が非同一である場合には、前記制御手段による編集及び再生のための動作制御が行われな
くなる。
【発明の効果】
【００２７】
以上のように本発明によれば、光ディスクに記録されているデータの編集・再生を行う
ために光ディスクを装填したときには、ディスク検出手段がその光ディスクの装填を検出
し、その検出信号を受けてパスワード照合手段が、装填された光ディスクに記録されてい
るその光ディスクに記録されるデータの管理情報を読み出し、読み出した管理情報にパス
ワードが含まれている場合には、その読み出した管理情報に含まれるパスワードとパスワ
ード入力手段により入力されたパスワードとが同一であるかの照合を行い、その照合結果
が非同一である場合には、制御手段による編集及び再生のための動作制御が行われなくな
るので、光ディスクにパスワードが記録されている場合には、そのパスワードを知ってい
る者がそのパスワードを入力しなければ、その光ディスクに対しての前記編集・再生を行
うことができないことになる。即ち、光ディスクに対して、前記編集・再生を行うことが
できる者を制限することができる光ディスク記録再生装置が実現できる。
【００２８】
また、光ディスクに対しての前記編集・再生動作を制限するためのその光ディスクに記
録するパスワードを、その光ディスクのフォーマット時にその光ディスクに記録されるデ
ータの管理情報に含めて記録することを選択可能に行うことができるので、前記編集及び
再生を制限する光ディスクと制限しない光ディスクとを選択可能に作成することができる
光ディスク記録再生装置が実現できる。
【００２９】
また、本発明によれば、ＤＶＤ−ＶｉｄｅｏにフォーマットされたＤＶＤに記録されて
いるデータの編集・再生を行うためにＤＶＤを装填したときには、ディスク検出手段がそ
のＤＶＤの装填を検出し、その検出信号を受けてパスワード照合手段が、装填されたＤＶ
Ｄに記録されているＤＶＤ−Ｖｉｄｅｏに基づいて記録されるデータの管理情報を読み出
し、読み出した管理情報にパスワードが含まれている場合には、その読み出した管理情報
に含まれるパスワードと前記パスワード入力手段により新たに入力されたパスワードとが
同一であるかの照合を行い、その照合結果が非同一である場合には、制御手段による編集
及び再生のための動作制御が行われなくなるので、ＤＶＤにパスワードが記録されている
場合には、そのパスワードを知っている者がそのパスワードを入力しなければ、そのＤＶ
Ｄに対しての前記編集・再生を行うことができないことになる。即ち、ＤＶＤ−Ｖｉｄｅ
ｏにフォーマットされたＤＶＤに対して、前記編集・再生を行うことができる者を制限す
ることができる光ディスク記録再生装置が実現できる。
【００３０】
また、ＤＶＤ−ＶｉｄｅｏにフォーマットされたＤＶＤに対しての前記編集・再生動作
を制限するためのそのＤＶＤに記録するパスワードを、そのＤＶＤをＤＶＤ−Ｖｉｄｅｏ
にフォーマットする際に、そのＤＶＤにＤＶＤ−Ｖｉｄｅｏに基づいて記録されるデータ
の管理情報に含めて記録することを選択可能に行うことができるので、前記編集及び再生
を制限するＤＶＤと制限しないＤＶＤとを選択可能に作成することができる光ディスク記
録再生装置が実現できる。
【発明を実施するための最良の形態】
【００３１】
以下、添付図面を参照しつつ、本発明の実施形態について説明する。図１は、本発明の
一実施形態のＤＶＤレコーダ（光ディスク記録再生装置）の電気的構成を示すブロック図
である。
【００３２】
図１に示すＤＶＤレコーダ１は、チャンネル設定や各種入力などを行うリモコン装置（
図示せず）からの光信号を受光して電気信号に変換するリモコン受光部２、フロントパネ
ル（図示せず）に設けられチャンネル設定や各種入力などを行う各種の操作スイッチ３、
リモコン受光部２からの入力信号または操作スイッチ３からの入力信号を受けて当該入力
信号の内容に応じたコマンド信号などを出力したりフロントパネルに設けられた表示部（
図示せず）を制御したりするフロントパネル制御部４、及び、フロントパネル制御部４か
らのコマンド信号などを入力して当該コマンド信号などの内容に応じた制御信号を出力し
たりフロントパネル制御部４を制御したりするメイン制御部５を備えている。
【００３３】
また、ＤＶＤレコーダ１は、各部の制御及び所定の演算などの処理を行うＣＰＵ（Cent
ral Processing Unit）６、このＣＰＵ６の処理動作に必要なプログラムおよびデータを
記憶するメモリ７、ＤＶＤ９が装填され装填されたＤＶＤ９を回転させるとともにレーザ
光を照射することにより、ＤＶＤ９の記録領域にデータを書き込んだり記録されているデ
ータを読み出したりするディスクドライバ８を備えている。
【００３４】
さらに、このＣＰＵ６は、リモコン受光部２に光信号を送信するリモコン装置や操作ス
イッチ３が操作されて入力されるパスワードをディスクドライバ８を介してＤＶＤ９に記
録するパスワード記録手段６ａと、ＤＶＤ９に記録されているパスワードをディスクドラ
イバ８を介して読み出し、読み出したパスワードと前記リモコン装置や操作スイッチ３が
操作されて新たに入力されるパスワードとを照合するパスワード照合手段６ｂとを有し、
ディスクドライバ８は、光ディスクが装填されたことを検出するディスク検出手段８ａを
有している。尚、パスワード記録手段６ａ、パスワード照合手段６ｂは、ＣＰＵ６を動作
させるプログラムにより実現可能である。
【００３５】
また、ＤＶＤレコーダ１は、他の装置からのビデオ信号（映像信号および音声信号）を
入力するための外部入力端子１０、図示しないテレビアンテナまたはテレビケーブルから
導かれた複数の放送局のテレビ放送信号の中から受信を希望するチャンネルのテレビ放送
信号を選択しビデオ信号として出力するチューナ１１、外部入力端子１０またはチューナ
１１からのビデオ信号をオン／オフさせるアナログスイッチ１２、このアナログスイッチ
１２のオン時に出力されたビデオ信号を入力してデジタル信号に変換し、さらにそのデジ
タル信号を符号化したデジタルデータを作成してＣＰＵ６に与えるビデオエンコーダ１３
、ＣＰＵ６から出力されたデジタルデータを複合化してデジタル信号にし、さらにそのデ
ジタル信号をアナログ信号に変換してアナログビデオ信号を作成するビデオデコーダ１４
、及びビデオデコーダ１４からのアナログビデオ信号を図示しない外部テレビジョン受信
機（以下、外部ＴＶという）に与えるためのＴＶ出力端子１５を備えている。
【００３６】
このような構成のＤＶＤレコーダ１は、ユーザの操作に応じて、外部入力端子１０また
はチューナ１１からのビデオ信号をデジタルデータに変換してＤＶＤ９に記録したり、Ｄ
ＶＤ９に記録されているデジタルデータを読み出してビデオ信号に再生して出力したりす
ることができる。
【００３７】
そのような記録・再生動作を行うために、ＤＶＤ９には、後述するように、そのディス
クのどこ（アドレス）にどのデータ（ファイル）が記録されているかということなどを示
す管理情報が記録されるようになっている。この管理情報は、ファイナライズされた後は
ＤＶＤ−Ｖｉｄｅｏフォーマットで規定されたファイルシステム領域に記録されるが、フ
ァイナライズされるまでは一時的な管理情報として一時的領域に記録される。尚、ファイ
ナライズされるまでの管理情報の管理方法（ファイルシステム）については、光ディスク
装置の製造元によって異なる。
【００３８】
図２は、ＤＶＤ９の記録領域の構成を模式的に示す模式図である。ＤＶＤ９は、その記
録領域が内周部から外周部にかけて、順に、ディスクの種類等を示すディスク情報等が記
録されるリードイン領域９１、データ領域９２、ディスクの終端を示すリードアウト領域
９３に区切られ、データ領域９２にコンテンツのデジタルデータが図３に示すようなファ
イル構造で記録される。
【００３９】
図３は、ＤＶＤ−ＶｉｄｅｏにフォーマットされたＤＶＤ９のファイル構造の一例を示
す図である。データ領域９２には、ＤＶＤビデオの再生に必要な全てのファイル（ＤＶＤ
−Ｖｉｄｅｏに基づいて記録されるデータ）が記録されることになっており、本例では、
１個のVMG（Video Manager）と、「タイトル１」及び「タイトル２」の２個のVTS（Video
Title Set）が記録されている。尚、VTSは、最大９９個まで記録可能である。
【００４０】
VMGは、VMGI（Video Manager Information）、VMGM_VOBS（Video Object Set for VMG 
Menu）とバックアップのためのVMGI(BUP)からなり、VMGIはデータ領域９２全体について
の制御情報であり、VIDEO_TS.IFOというひとつのファイルからなっている。また、VMGM_V
OBSはタイトル選択メニューのためのコンテンツであり、VIDEO_TS.VOBというひとつのフ
ァイルからなっている。そして、VMGI（BUP）はVMGIの完全なコピーであり、VIDEO_TS.BU
Pというひとつのファイルからなっている。尚、VMGM_VOBSはあってもなくても良いが、他
の二つは必ずなくてはならない。
【００４１】
また、ひとつのVTSは、VTSI（Video Title Set Information）、VTSM_VOBS（Video Obj
ect Set for the VTS Menu）、VTSTT_VOBS（Video Object Set for Titles in a VTS）と
バックアップのためのVTSI（BUP）からなる。
【００４２】
VTSIはそのVTSに対する制御情報であり、VTS_##_0.IFOというひとつのファイルからな
っている。尚、VTSM_VOBSはVTS内の各種メニューのためのコンテンツであるが、なくても
良いので本例では省略している。
【００４３】
また、VTSTT_VOBSはタイトル再生のためのコンテンツであり、VTS_##_0.VOBというひと
つのファイル（複数のファイルの場合もあり、その場合は0の部分が他の数字に変わった
複数のファイルとなる）からなっている。そして、VTSI（BUP）はVTSIの完全なコピーで
あり、VTS_##_0.BUPというひとつのファイルからなっている。尚、##は01または02の整数
（最大、01から99までの整数）を表わす。
【００４４】
また、データ領域９２にはファイナライズ後の管理情報が記録されるファイルシステム
領域９２ａと、ファイナライズ前の管理情報が記録される一時的領域９２ｂが設けられる
。一時的管理領域９２ｂには、ファイナライズされるまでの間に用いられる管理情報とし
て、上述した各VTSの各VTSを構成する各ファイルのアドレス、ファイルサイズ、及び録画
開始時間が記録される。また、この管理情報には、さらに、ＤＶＤ９のフォーマット処理
を行った装置の製造元を識別するＩＤと、パスワードとが記録されるようになっている。
【００４５】
このパスワードは、ＤＶＤレコーダ１における本発明の特徴的な機能である編集制限機
能及び再生制限機能を実現するためのもので、ユーザの選択によって記録される場合と記
録されない場合とがある。
【００４６】
このパスワードのＤＶＤ９への記録は、ＤＶＤレコーダ１によってＤＶＤ９がフォーマ
ットされるときに行われる。次に、ＤＶＤレコーダ１のフォーマット動作を図４に示すフ
ローチャートを用いて説明する。
【００４７】
先ず、ＤＶＤ９がＤＶＤレコーダ１のディスクドライバ８に装填される（ステップＳ１
）。このとき、ディスクドライバ８のディスク検出手段８ａが、ＤＶＤ９が装填されたこ
とを検出してディスク検出信号をＣＰＵ６に送信する。
【００４８】
次に、ディスク検出信号を受信したＣＰＵ６は、ディスクドライバ８を介してＤＶＤ９
に記録されている管理情報等を読み出し、読み出した管理情報等からＤＶＤ９がフォーマ
ット済みであるか否かを判別し（ステップＳ２）、フォーマット済みであると判別した場
合は（ステップＳ２のＹｅｓ）、本フォーマット動作を終了する。
【００４９】
一方、未フォーマット状態であると判別した場合（ステップＳ２のＮｏ）、ＣＰＵ６は
、上述のパスワードを設定するか否かをユーザに問い合わせる（ステップＳ３）。このと
き、ＣＰＵ６は、ビデオエンコーダ１４、ＴＶ出力端子１５を介して外部ＴＶに映像信号
を送信し、図５（ａ）に示すような、ＤＶＤ９をＤＶＤ−Ｖｉｄｅｏにフォーマットする
処理の実行開始をユーザに知らせるとともに上述のパスワードを設定するか否かをユーザ
に問い合わせる画面を外部ＴＶに表示させる。
【００５０】
そして、ユーザがパスワードを設定することを、リモコン受光部２に光信号を送信する
リモコン装置や操作スイッチ３を操作してＣＰＵ６に伝えると（ステップＳ３のＹｅｓ）
、ＣＰＵ６は、図５（ｂ）に示すようなパスワードの入力を促す画面を外部ＴＶに表示さ
せるとともに、ユーザが前記リモコン装置や操作スイッチ３を操作して入力するパスワー
ドを受け、一時的にメモリ７に記憶させる（ステップＳ４）。
【００５１】
パスワードの入力が完了すると、ＣＰＵ６は、ディスクドライバ８を駆動してＤＶＤ９
をＤＶＤ−Ｖｉｄｅｏにフォーマットするとともに、パスワード記録手段６ａを用いてＤ
ＶＤ９の一時的領域９２ｂに管理情報を記録する際に、その管理情報にステップＳ４で入
力されメモリ７に記憶させたパスワードを含めて記録する（ステップＳ５）。また、前記
管理情報にフォーマットを行うこのＤＶＤレコーダ１の製造元を識別するＩＤも含めて記
録する。このとき、ＣＰＵ６は、外部ＴＶに、図５（ｃ）に示すようなフォーマット中で
あることをユーザに知らせる画面を表示させる。そして、フォーマット及びパスワードの
記録が完了すれば、本フォーマット処理は終了する。
【００５２】
一方、ユーザがパスワードを設定しないことを、前記リモコン装置や操作スイッチ３を
操作してＣＰＵ６に伝えると（ステップＳ３のＮｏ）、ＣＰＵ６は、ディスクドライバ８
を駆動してＤＶＤ９をＤＶＤ−Ｖｉｄｅｏにフォーマットする（ステップＳ６）。この場
合、ＤＶＤ９の一時的領域９２ｂに記録される管理情報には上記のようなパスワードは含
まれないが、フォーマットを行うこのＤＶＤレコーダ１の製造元を識別するＩＤは含めて
記録する。また、このとき、ＣＰＵ６は、外部ＴＶに図５（ｃ）に示すようなフォーマッ
ト中であることをユーザに知らせる画面を表示させる。そして、フォーマットが完了すれ
ば、本フォーマット処理は終了する。
【００５３】
ＤＶＤレコーダ１は、このようにフォーマットされたＤＶＤ９に対して、外部入力端子
１０またはチューナ１１からのビデオ信号をデジタルデータに変換して記録したり記録さ
れているデジタルデータを削除したりする編集機能や、記録されているデジタルデータを
読み出してビデオ信号に再生する再生機能を備えているのみならず、さらに、このような
編集や再生を行う者を制限する機能、即ち、編集制限機能及び再生制限機能を備えている
。
【００５４】
次に、このＤＶＤレコーダ１の編集制限機能及び再生制限機能を図６を参照して説明す
る。図６は、ＤＶＤレコーダ１における光ディスクの装填から編集・再生に至るまでの動
作を示すフローチャートである。
【００５５】
先ず、ＤＶＤレコーダ１のディスクドライバ８にＤＶＤ９が装填されるか、ディスクド
ライバ８にＤＶＤ９が装填された状態でＤＶＤレコーダ１の電源が投入されると、ディス
クドライバ８のディスク検出手段８ａがＤＶＤ９を検出してディスク検出信号をＣＰＵ６
に送信する（ステップＳ１１）。
【００５６】
次に、ディスク検出信号を受信したＣＰＵ６は、ディスクドライバ８を介してＤＶＤ９
のリードイン領域９１に記録されているディスク情報を読み出し、読み出したディスク情
報からＤＶＤ９がＤＶＤレコーダ１の対応メディアであるか否かを判別し（ステップＳ１
２）、対応メディアではないと判別した場合は（ステップＳ１２のＮｏ）、この装填され
たＤＶＤ９に対しての編集・再生動作を終了する。
【００５７】
一方、ＤＶＤ９がＤＶＤレコーダ１の対応メディアであると判別した場合（ステップＳ
１２のＹｅｓ）、次に、ＣＰＵ６は、ディスクドライバ８を介してＤＶＤ９の一時的管理
領域９２ａに記録されている管理情報を読み出し、読み出した管理情報に含まれるＩＤか
らＤＶＤ９が自社、即ち、ＤＶＤレコーダ１の製造元が製造する光ディスク記録装置でフ
ォーマットされたものかどうかを判別する（ステップＳ１３）。
【００５８】
そして、自社フォーマットではないと判別した場合は（ステップＳ１３のＮｏ）、以後
、ユーザの操作に応じて前記編集・再生動作を行う（ステップＳ１７）。一方、自社フォ
ーマットであると判別した場合（ステップＳ１３のＹｅｓ）、次に、ＣＰＵ６は、読み出
した管理情報の中にパスワードが含まれているか否かを判別し（ステップＳ１４）、含ま
れていないと判別した場合は（ステップＳ１４のＮｏ）、以後、ユーザの操作に応じて前
記編集・再生動作を行う（ステップＳ１７）。
【００５９】
一方、読み出した管理情報の中にパスワードが含まれていると判別した場合（ステップ
Ｓ１４のＹｅｓ）、ＣＰＵ６は、図５（ｂ）に示すようなパスワードの入力を促す画面を
外部ＴＶに表示させるとともに、ユーザがリモコン装置や操作スイッチ３を操作して入力
するパスワードを受ける（ステップＳ１５）。
【００６０】
そして、パスワード照合手段６ｂにより、その入力されたパスワードと読み出した管理
情報の中のパスワードとが同一であるかを照合し（ステップＳ１６）、照合結果が同一で
ある場合は（ステップＳ１６のＹｅｓ）、以後、ユーザの操作に応じて前記編集・再生動
作を行う（ステップＳ１７）。
【００６１】
一方、照合結果が非同一である場合は（ステップＳ１６のＮｏ）、ＤＶＤ９に対する前
記編集・再生動作を終了する。このとき、入力されたパスワードがＤＶＤ９に記録されて
いるパスワードと非同一なので、前記編集・再生動作を実行しないということをユーザに
知らせるための画面を外部ＴＶに表示させるようにしても良い。また、前記照合結果が非
同一である場合（ステップＳ１６のＮｏ）、ステップＳ１５に戻って、再度、パスワード
入力を受け、入力されたパスワードとＤＶＤ９に記録されているパスワードとの照合を再
度行うということを所定の回数だけ繰り返し、その照合結果が前記所定の回数、非同一で
ある場合に、前記編集・再生動作を終了するというようにしても良い。
【００６２】
以上説明したように、本実施形態のＤＶＤレコーダ１は、フォーマット時にそのフォー
マットするＤＶＤにパスワードを記録することができる。また、自社フォーマットされパ
スワードが記録されたＤＶＤに対しての編集・再生動作は、ＤＶＤに記録されているパス
ワードと同一のパスワードを入力しなければ行えないようになっている。
【００６３】
従って、装填したＤＶＤに記録されているパスワードを知っている者でしか、そのＤＶ
Ｄに対して、記録されているデータの削除や新たなデータの追記などの編集作業が行えな
いので、ＤＶＤに所定のデータを記録しようとしていた本来の作業者以外の他者が、前記
本来の作業者が知らない間に、そのＤＶＤに対して前記編集作業を勝手に行ってしまうと
いうことを防ぐことができる。即ち、編集できる者を制限する編集制限をかけることがで
きる。これにより、ＤＶＤに前記本来の作業者が意図していた前記所定のデータが記録さ
れなくなったり、前記所定のデータ以外の不要なデータが記録されたりするというような
問題を解決することができる。
【００６４】
また、装填したＤＶＤに記録されているパスワードを知っている者でしか、ＤＶＤに記
録されているデータの再生が行えないので、前記本来の作業者が、記録したデータを現時
点では（ファイナライズするまでは）他者に視聴させたくないと考えている場合に、他者
が、前記本来の作業者の意図に反して、ＤＶＤに記録されているデータを再生して視聴等
を行うことをできないようにすることができる。即ち、視聴制限をかけることができる。
【００６５】
また、フォーマット時に、ＤＶＤにパスワードを記録するか否かを選択できるので、ユ
ーザが編集制限及び視聴制限をかける必要がないデータをＤＶＤに記録しようとしている
場合などには、いちいちパスワードを入力せずともＤＶＤの編集及び再生が行えるように
することができ、使い勝手を良くすることができる。
【００６６】
尚、今回開示された実施形態はすべての点で例示であって制限的なものではないと考え
られるべきである。本発明の範囲は上記した説明ではなくて特許請求の範囲によって示さ
れ、特許請求の範囲と均等の意味及び範囲内でのすべての変更が含まれることが意図され
る。
【図面の簡単な説明】
【００６７】
【図１】本発明の一実施形態のＤＶＤレコーダ（光ディスク記録再生装置）の電気的構成を示すブロック図である。
【図２】ＤＶＤの記録領域の構成を模式的に示す模式図である。
【図３】ＤＶＤ−ＶｉｄｅｏにフォーマットされたＤＶＤのファイル構造の一例を示す図である。
【図４】図１に示すＤＶＤレコーダのフォーマット動作を示すフローチャートである。
【図５】フォーマット時またはパスワード入力時に表示される画面例を示す図である。
【図６】図１に示すＤＶＤレコーダにおける光ディスクの装填から編集・再生に至るまでの動作を示すフローチャートである。
【符号の説明】
【００６８】
１    ＤＶＤレコーダ（光ディスク記録再生装置）
２    リモコン受光部（パスワード入力手段）
３    操作スイッチ（パスワード入力手段）
４    フロントパネル制御部
５    メイン制御部
６    ＣＰＵ（制御手段）
６ａ    パスワード記録手段
６ｂ    パスワード照合手段
７    メモリ
８    ディスクドライバ
８ａ    ディスク検出手段
９    ＤＶＤ（光ディスク）
１０    外部入力端子
１１    チューナ
１２    アナログスイッチ
１３    ビデオエンコーダ
１４    ビデオデコーダ
１５    ＴＶ出力端子
９１    リードイン領域
９２    データ領域
９２ａ    ファイルシステム領域
９２ｂ    一時的領域
９３    リードアウト領域
【図１】
2006134427.tif 000003
【図２】
2006134427.tif 000004
【図３】
2006134427.tif 000005
【図４】
2006134427.tif 000006
【図５】
2006134427.tif 000007
【図６】
2006134427.tif 000008